(57)【要約】      （修正有）【課題】フォークリフトの荷役操作において車体が不安定な姿勢になり、荷こぼれや車体の転倒が生じるのを事前に防止するための操作制御を行うフォークリフトの荷役制御システムを提供する。【解決手段】リフトシリンダ６に変位センサおよび圧力センサが配設され,チルトシリンダ１１に変位センサが配設される。そして、リフトシリンダおよびチルトシリンダの動きを制御するためのコントローラに、センサにより検出されたそれぞれのシリンダの変位量を示す信号が送信される。  コントローラでは、受信したそれぞれのセンサからの信号に基づいて、フォークリフトの姿勢が安定であるかをリアルタイムで判断する。そして、フォークリフトの姿勢が安定な状態から外れた状態にあると判断されると、直ちにリフトシリンダおよびチルトシリンダの動作を制御して、フォークリフトが不安定な姿勢になるのを回避する。【選択図】図４Ａ
2006298519.tif 000002
【特許請求の範囲】
【請求項１】
積荷を積載する積載部を駆動するための駆動部と、前記駆動部の動きを制御するための制御部と、前記積荷の積載位置を測定する位置測定部と、前記積荷の前記積載部に対する荷重を測定する荷重測定部とを具備するフォークリフトの荷役制御システムであって、
前記制御部は、前記位置測定部および荷重測定部によって測定される前記積荷の位置情報および荷重情報に基づいて、規定位置に対する前記積荷の慣性モーメントをリアルタイムで計算し、前記慣性モーメントに基づく転倒モーメントが規定値を超えないように前記駆動部を制御する
フォークリフトの荷役制御システム。
【請求項２】
請求項１に記載のフォークリフトの荷役制御システムにおいて、
前記駆動部は、前記積載部を特定の軸の周方向に動作させるためのチルトシリンダと、前記積載部を前記特定の軸の半径方向に移動させるためのリフトシリンダとを備え、
前記位置測定部は、前記リフトシリンダの変位を測定するためのリフトシリンダ変位計と、前記チルトシリンダの変位を測定するためのチルトシリンダ変位計とを備え、
前記荷重測定部は、前記積荷が前記リフトシリンダに負荷する圧力を測定するためのリフトシリンダ圧力計を備え、
前記制御装置は、前記リフトシリンダ変位計と、前記リフトシリンダ圧力計と、前記チルトシリンダ変位計との測定値に基づいて、前記フォークリフトの前輪直下の地表位置を軸とする前記積荷の慣性モーメントをリアルタイムで計算し、前記慣性モーメントに基づく前記転倒モーメントが規定値を超えた時に、前記チルトシリンダおよび前記リフトシリンダの動作を停止させる
フォークリフトの荷役制御システム。
【請求項３】
請求項１に記載のフォークリフトの荷役制御システムにおいて、
前記駆動部は、前記積載部を特定の軸の周方向に動作させるためのチルトシリンダと、前記積載部を前記特定の軸の半径方向に移動させるためのリフトシリンダとを備え、
前記位置測定部は、前記リフトシリンダの変位を測定するためのリフトシリンダ変位計と、前記リフトシリンダの垂線方向からの傾き角を測定するための傾斜センサとを備え、
前記荷重測定部は、前記積荷が前記リフトシリンダに負荷する圧力を測定するためのリフトシリンダ圧力計を備え、
前記制御装置は、前記リフトシリンダ変位計と、前記リフトシリンダ圧力計と、前記傾斜センサとの測定値に基づいて、前記フォークリフトの前輪直下の地表位置を軸とする前記積荷の慣性モーメントをリアルタイムで計算し、前記慣性モーメントに基づく前記転倒モーメントが規定値を超えた時に、前記チルトシリンダおよび前記リフトシリンダの動作を停止させる
フォークリフトの荷役制御システム。
【請求項４】
請求項２に記載のフォークリフトの荷役制御システムにおいて、
前記リフトリンダが、垂線方向よりも後ろに傾いた位置から後ろ向きに傾倒するように前記チルトシリンダを起動するとき、
前記制御装置は、さらに前記リフトシリンダ変位計と、前記リフトシリンダ圧力計と、前記チルトシリンダ変位計との測定値に基づいて、前記チルトシリンダの許容加速度をリアルタイムで計算し、前記チルトシリンダの加速度が前記許容加速度以内になるように制御する
フォークリフトの荷役制御システム。
【請求項５】
請求項２に記載のフォークリフトの荷役制御システムにおいて、
前記リフトリンダが、垂線方向よりも前に傾いた位置から前向きに動作している状態で前記チルトシリンダを停止するとき、
前記制御装置は、さらに前記リフトシリンダ変位計と、前記リフトシリンダ圧力計と、前記チルトシリンダ変位計との測定値に基づいて、前記チルトシリンダの許容減速度をリアルタイムで計算し、前記チルトシリンダの減速度が前記許容減速度以内になるように制御する
フォークリフトの荷役制御システム。
【請求項６】
請求項２に記載のフォークリフトの荷役制御システムにおいて、
前記リフトリンダが下降停止するとき、
前記制御装置は、さらに前記リフトシリンダ変位計と、前記リフトシリンダ圧力計と、前記チルトシリンダ変位計との測定値に基づいて、前記リフトシリンダの許容減速度をリアルタイムで計算し、前記リフトシリンダの減速度が前記許容減速度以内になるように制御する
フォークリフトの荷役制御システム。
【請求項７】
請求項３に記載のフォークリフトの荷役制御システムにおいて、
前記リフトリンダが、垂線方向よりも後ろに傾いた位置から後ろ向きに傾倒するように前記チルトシリンダを起動するとき、
前記制御装置は、さらに前記リフトシリンダ変位計と、前記リフトシリンダ圧力計と、前記傾斜センサとの測定値に基づいて、前記チルトシリンダの許容加速度をリアルタイムで計算し、前記チルトシリンダの加速度が前記許容加速度以内になるように制御する
フォークリフトの荷役制御システム。
【請求項８】
請求項３に記載のフォークリフトの荷役制御システムにおいて、
前記リフトリンダが、垂線方向よりも前に傾いた位置から前向きに動作している状態で前記チルトシリンダを停止するとき、
前記制御装置は、さらに前記リフトシリンダ変位計と、前記リフトシリンダ圧力計と、前記傾斜センサとの測定値に基づいて、前記チルトシリンダの許容減速度をリアルタイムで計算し、前記チルトシリンダの減速度が前記許容減速度以内になるように制御する
フォークリフトの荷役制御システム。
【請求項９】
請求項３に記載のフォークリフトの荷役制御システムにおいて、
前記リフトリンダが下降停止するとき、
前記制御装置は、さらに前記リフトシリンダ変位計と、前記リフトシリンダ圧力計と、前記傾斜センサとの測定値に基づいて、前記リフトシリンダの許容減速度をリアルタイムで計算し、前記リフトシリンダの減速度が前記許容減速度以内になるように制御する
フォークリフトの荷役制御システム。
【請求項１０】
請求項２と、請求項４から６までの少なくとも一項に記載のフォークリフトの荷役制御システムにおいて、
前記制御装置は、さらに、前記リフトシリンダ変位計および前記チルトシリンダ変位計の測定値に基づいて、前記リフトシリンダの位置、または、前記チルトシリンダの位置がストロークエンドから規定距離以内に到達すると、規定の減速度で前記リフトシリンダ、または、前記チルトシリンダをストロークエンドにまで到達させる
フォークリフトの荷役制御システム。
【請求項１１】
請求項３と、請求項７から９までの少なくとも一項に記載のフォークリフトの荷役制御システムにおいて、
前記制御装置は、さらに、前記リフトシリンダ変位計の測定値に基づいて、前記リフトシリンダの位置がストロークエンドから規定距離以内に到達すると、規定の減速度で前記リフトシリンダをストロークエンドにまで到達させる
フォークリフトの荷役制御システム。
【請求項１２】
請求項１から１１までのいづれか一項に記載のフォークリフトの荷役制御システムを具備するフォークリフト。
【請求項１３】
積荷を積載する積載部を駆動するための駆動部と、前記駆動部の動きを制御するための制御部と、前記積荷の積載位置を測定する位置測定部と、前記積荷の前記積載部に対する荷重を測定する荷重測定部とを具備するフォークリフトの荷役制御システムによるフォークリフトの荷役制御方法であって、
前記位置測定部および荷重測定部によって測定される前記積荷の位置情報および荷重情報に基づいて、規定位置に対する前記積荷の慣性モーメントをリアルタイムで計算する計算ステップと、
前記慣性モーメントに基づく転倒モーメントが規定値を超えないように前記駆動部を制御する制御ステップと
を備えるフォークリフトの荷役制御方法。
【請求項１４】
請求項１３に記載のフォークリフトの荷役制御方法において、
前記駆動部は、前記積載部を特定の軸の周方向に動作させるためのチルトシリンダと、前記積載部を前記特定の軸の半径方向に移動させるためのリフトシリンダとを備え、前記位置測定部は、前記リフトシリンダの変位を測定するためのリフトシリンダ変位計と、前記チルトシリンダの変位を測定するためのチルトシリンダ変位計とを備え、前記荷重測定部は、前記積荷が前記リフトシリンダに負荷する圧力を測定するためのリフトシリンダ圧力計を備え、
前記リフトシリンダ変位計と、前記リフトシリンダ圧力計と、前記チルトシリンダ変位計との測定値に基づいて、前記フォークリフトの前輪直下の地表位置を軸とする前記積荷の慣性モーメントをリアルタイムで計算する慣性モーメント計算ステップと、
前記慣性モーメントに基づく前記転倒モーメントが規定値を超えた時に、前記チルトシリンダおよび前記リフトシリンダの動作を停止させる停止ステップと
を備えるフォークリフトの荷役制御方法。
【請求項１５】
請求項１３に記載のフォークリフトの荷役制御方法において、
前記駆動部は、前記積載部を特定の軸の周方向に動作させるためのチルトシリンダと、前記積載部を前記特定の軸の半径方向に移動させるためのリフトシリンダとを備え、前記位置測定部は、前記リフトシリンダの変位を測定するためのリフトシリンダ変位計と、前記リフトシリンダの垂線方向からの傾き角を測定するための傾斜センサとを備え、前記荷重測定部は、前記積荷が前記リフトシリンダに負荷する圧力を測定するためのリフトシリンダ圧力計を備え、
前記リフトシリンダ変位計と、前記リフトシリンダ圧力計と、前記傾斜センサとの測定値に基づいて、前記フォークリフトの前輪直下の地表位置を軸とする前記積荷の慣性モーメントをリアルタイムで計算する慣性モーメント計算ステップと、
前記慣性モーメントに基づく前記転倒モーメントが規定値を超えた時に、前記チルトシリンダおよび前記リフトシリンダの動作を停止させる停止ステップと
を備えるフォークリフトの荷役制御方法。
【発明の詳細な説明】
【技術分野】
【０００１】
本発明は、フォークリフトの荷役制御システムおよびフォークリフトの荷役制御方法に関し、特にフォークリフトの荷役操作において車体が不安定な姿勢になり、荷こぼれや車体の転倒が生じるのを事前に防止するための操作制御を行うフォークリフトの荷役制御システムおよびフォークリフトの荷役制御方法に関する。
【背景技術】
【０００２】
フォークリフトの荷役操作において、（１）マストの揚高が高い状態でマストの前傾斜角が大きくなった場合や、（２）チルトが急起動および急停止を行った場合、（３）あるいは、リフトの下降中に急停止を行った場合には、前車軸回りに大きなモーメントが発生して車体が前方に転倒する危険性があった。
【０００３】
図１に、従来のフォークリフトの概略構造を示す。従来のフォークリフトは、前輪１２と後輪１３とを備えた車体１０と、荷物を積載するためのフォーク３とを備える。フォーク３は、車体１０前方に配設されているマスト部に、リフトブラケット１を介して設置される。マスト部は、本体１０前方に取り付けられて、フォーク３を前倒、あるいは後倒して荷物の姿勢を前後に制御することの出来るアウターマスト５と、アウターマスト５の上方に固定されて、リフトブラケット１とレールを介して接続され、荷物を積載しているフォーク３およびリフトブラケット１をレールに沿って上下にスライドさせるインナーマスト４とを備えている。アウターマスト５は、チルトシリンダ１１により、前倒及び後倒の角度を制御される。また、リフトブラケット１は、インナーマスト４のレール上を、インナーマスト４に沿って上下に可動なリフトシリンダ６の動力により、チェーンホイル７およびチェーン８を介して上下方向に位置制御される。このように、リフトブラケット１の先端に接続された荷物積載用のフォーク３は、前後および上下方向に位置を制御される。
【０００４】
図２に、フォークリフトに備えられる従来の制御システムの概略構成図を示す。従来の制御システム２０は、リフトシリンダ６とチルトシリンダ１１との動作を制御するための油圧回路２８を備えている。運転者により、リフト操作レバー２１およびチルト操作レバー２２が操作されると、それぞれの操作レバーからの制御量に応じた制御信号がコントローラ２３に送られる。コントローラ２３では、入力されたそれぞれのレバーからの制御信号に基づいて、油圧回路２８に向けて動作信号を送信する。また、電動モータ２５に向けてトルク指令２４を送信する。電動モータ２５は、受信したトルク指令２４に基づいて、油圧回路２８の油圧ポンプ２８ｃの油圧を規定トルク値になるように回転数を制御する。また、油圧回路２８に送られた動作信号は、油圧回路２８のリフト流量制御弁２８ａとチルト流量制御弁２８ｂにそれぞれ入力される。それぞれの制御弁は、入力された動作信号に基づいて、リフトシリンダ６およびチルトシリンダ１１を規定量移動させるように、それぞれのシリンダの規定移動量に対応する油量を流すように制御弁の開口量を制御する。
【０００５】
しかしながら、従来の制御システム２０においては、フォークリフトの車体１０が不安定な姿勢になった場合においても、不安定な姿勢を回避するように、リアルタイムで運転操作の回避制御がなされたり、あるいは、車体が不安定な姿勢になるのを防止するように運転操作の回避制御がなされることはなかった。
【０００６】
上記の技術分野に関連して、特開平０７−０９７１９８号公報に開示されている「フォークリフトの制御装置」では、荷物の積載部であるフォーク及びブラケットを含む昇降部がブラケットを吊下するチェーンを介してリフトシリンダの駆動により車体の前方に配設したマストに沿い昇降するとともに、このマストがチルトシリンダの駆動により車体の前後方向に傾動するように構成したフォークリフトの制御装置において、積載部の荷重を検出する荷重センサと、荷重センサが検出する荷重が第１の設定値を越えるときリフトシリンダによる昇降部の上昇及びチルトシリンダによるマストの前傾動作を禁止するよう、これらリフトシリンダ及びチルトシリンダに圧油を供給する電磁弁を制御する制御部とを有するフォークリフトの制御装置が提案されている。
【０００７】
また、特開平０８−０９１７９３号公報に開示されている「荷役車両の荷役装置」では、車両本体の前面に前後傾自在なマストが支持され、該マストに昇降自在に取付けられたフォークを昇降させるリフトシリンダと、マストを傾動させるチルトシリンダと、リフトシリンダおよびチルトシリンダに各液流路を介して流体圧を供給するコントロールバルブとを備え、マストを傾動させるとき荷役物の重量に応じてチルトシリンダの作動速度を制御する傾動速度制御手段が設けられた荷役車両の荷役装置が提案されている。
【０００８】
また、特開平０９−２９５８００号公報に開示されている「フォークリフトのティルト制御装置」では、フォークの水平角度を検出する水平角度検出手段と、オイルを供給するオイル供給手段とフォークを駆動するフォーク駆動手段問に配設された油圧制御弁と、水平角度検出手段がフォークの水平角度を検出すると油圧制御弁に閉信号を出力し、油圧制御弁を閉じる制御を行う制御手段と、を有するフォークリフトのティルト制御装置が提案されている。
【０００９】
また、特開平１０−２７３２９５号公報に開示されている「フォークリフトのティルト制御装置」では、マスト傾動用のティルトシリンダのロッド側油室と、そのティルトシリンダに対する圧油の流れ方向を切り換える方向切換弁との間にパイロットチェック弁を設け、そのパイロットチェック弁をマストが傾動範囲内の途中に停止された後で一瞬だけ開放させるように構成したフォークリフトのティルト制御装置が提案されている。
【００１０】
また、特開平１０−３１０３９４号公報に開示されている「フォークリフトのティルト制御装置」では、マスト傾動用のティルトシリンダと、そのティルトシリンダを操作する方向切換弁とを接続する油路に、ティルト操作時にティルトシリンダに送り込まれる圧油の最大流量を調整する流量調整弁を設け、その流量調整弁の開度をフォークの低揚高時には全開にし、高揚高時には絞り状態に切り換えるようにしたフォークリフトのティルト制御装置が提案されている。
【００１１】
また、特開平１０−３１６３９０号公報に開示されている「マストのティルト制御装置」では、フォークが高揚高領域にあるときに、負荷信号に応じてマストの傾動角度又は傾動速度を規制するマストのティルト制御装置において、フォーク昇降用のリフトシリンダを操作するコントロールバルブと、そのコントロールバルブとリフトシリンダとの間に設けられる下降速度制御用の流量制御弁との間に、リフトシリンダの圧力を検出する圧力センサを設け、この圧力センサの出力を前記負荷信号として用いるマストのティルト制御装置が提案されている。
【００１２】
また、特開平１０−３３００９５号公報に開示されている「フォークリフトのティルト制御装置」では、水平停止操作が行われたときフォークが水平となる位置でマストのティルトを自動停止させる第１の自動水平制御手段と、水平停止操作に無関係にフォークが水平になる毎にマストのティルトを自動停止させる第２の自動水平制御手段と、第１の自動水平制御手段及び第２の自動水平制御手段のいずれかを選択する選択手段とを備えたフォ−クリフトのティルト制御装置が提案されている。
【００１３】
また、特開平１０−３３００９６号公報に開示されている「フォークリフトのティルト制御装置」では、マストのティルト角を検出するティルト角検出手段と、マストのティルトを自動的に停止させる停止ティルト角を記憶する記憶手段と、ティルト角検出手段で検出されたティルト角が記憶手段に記憶された停止ティルト角と一致したときマストのティルトを停止させる制御手段とを備えたフォークリフトのティルト制御装置において、記憶手段に記憶された停止ティルト角を変更するときに操作される停止ティルト角変更操作手段を備えたフォークリフトのティルト制御装置が提案されている。
【００１４】
また、特開平１１−１３９７９６号公報に開示されている「フォークリフトのティルト制御装置」では、フォークをティルトさせるためにオペレータが操作するティルト操作部材と、ティルト操作部材の操作量を検出する操作量センサと、フォークのティルト量を検出するティルト量センサと、フォークをティルトさせるフォークティルト機構と、操作量センサにより検出された操作量から目標ティルト量を算出し、この目標ティルト量とティルト量センサにより検出されたティルト量とが一致するように、フォークティルト機構を制御するコントローラとから構成されたフォークリフトのティルト制御装置が提案されている。
【００１５】
また、特開２０００−１９１２９６号公報に開示されている「フォークリフトトラックにおけるチルト制御装置」では、車体の前部にチルトシリンダにより傾動自在となるマストを備え、このマストに沿ってリフトシリンダにより昇降動自在となるフォークを備えてなるフォークリフトトラックにおいて、チルトシリンダのチルト圧を検出するチルトシリンダ圧力検出部を備え、マスト傾動角を検出するマスト傾動角検出部を備え、フォーク昇降高さを検出するフォーク昇降検出部を備えると共に、このチルトシリンダ圧力検出部で検出したチルト圧とマスト傾動角検出部で検出したマスト傾動角とフォーク昇降検出部で検出したフォーク昇降高さとを基にマストの許容前傾角を算出して、このマストの許容前傾角以上にマストを前傾しないようにチルトシリンダを制御する制御部を備えたフォークリフトトラックにおけるチルト制御装置が提案されている。
【００１６】
また、特開２００１−０１９３９１号公報に開示されている「フォークリフトのティルト制御装置」では、マスト傾動用ティルトシリンダのロッド側油室と該ティルトシリンダ操作用ティルトスプールとの間には、開度の異なる全開位置と半開位置に切換可能なパイロット操作式流量制御弁を設け、その流量制御弁と前記ロッド側油室との間には、該ロッド側油室への作動油の流入を許容する一方、ロッド側からの作動油の流出時にその流出油の圧力をパイロット圧として付加又は消去することで開閉操作されるポペット弁と、該ポペット弁に対して開閉操作用のパイロット圧を導くパイロット通路をタンクに連通又は遮断する位置に切換可能なパイロット操作式の開閉切換弁とを設け、さらに流量制御弁及び開閉切換弁に対して切換操作用のパイロット圧を導くパイロット通路には、パイロット圧を付加可能な位置又は消去可能な位置に切換可能な電磁開閉弁を設けたフォークリフトのティルト制御装置が提案されている。
【００１７】
また、特開２００１−０６３９８９号公報に開示されている「産業車両におけるマスト傾動速度制御装置」では、車体に傾動可能に支持されたマストと、マストを前後に傾動させるために該マストと車体と間に設けられた油圧シリンダと、油圧シリンダの油路上に設けられた油圧ポンプを駆動する電動モータと、マストに昇降可能に支持され荷を積載する荷役機器とを備えた産業車両において、マストを傾動させるために操作する操作手段と、操作手段が操作されたことを検出する操作検知手段と、荷役機器の揚高を検出する揚高検出手段と、操作検知手段から操作手段が操作された検知信号を入力すると、揚高検出手段により検出された揚高に基づき高揚高ほど低回転数となる設定で電動モータを制御する制御手段とを備えた産業車両におけるマストの傾動速度制御装置が提案されている。
【００１８】
また、特許第２７０６３７８号公報に開示されている「フォークリフトの制御装置」では、作業機レバーからのレバー操作信号に応じた流量制御信号を電磁比例制御弁へ出力するコントローラと、該コントローラからの流量制御信号に応じた圧油を作業機シリンダに給排する電磁比例制御弁と、電磁比例制御弁からの圧油により伸縮してフォークを昇降させる作業機シリンダとを備えたフォークリフトにおいて、フォークの揚高が一定以下になったことを検出する位置センサと、作業機シリンダに給排される圧油の油圧からフォークに積載される荷物の荷重を検出する油圧センサと、該油圧センサにより検出された荷重が大きければ大きいほど小さな正の減速制御量に換算する荷重／減速制御量換算テーブルと、テーブルで換算された減速制御量を流量制御信号から繰り返して減算して出力する減速制御量算出手段と、位置センサによりフォークが検出されたら減速制御量算出手段で算出された算出値を流量制御信号として出力してフォークの下降速度を徐々に減速する制御量出力手段と、位置センサの信号系統についての断線を検出して、上記各種の制御を中止させる断線検出回路とを設けたフォークリフトの制御装置が提案されている。
【００１９】
【特許文献１】特開平０７−０９７１９８号公報
【特許文献２】特開平０８−０９１７９３号公報
【特許文献３】特開平０９−２９５８００号公報
【特許文献４】特開平１０−２７３２９５号公報
【特許文献５】特開平１０−３１０３９４号公報
【特許文献６】特開平１０−３１６３９０号公報
【特許文献７】特開平１０−３３００９５号公報
【特許文献８】特開平１０−３３００９６号公報
【特許文献９】特開平１１−１３９７９６号公報
【特許文献１０】特開２０００−１９１２９６号公報
【特許文献１１】特開２００１−０１９３９１号公報
【特許文献１２】特開２００１−０６３９８９号公報
【特許文献１３】特許第２７０６３７８号公報
【発明の開示】
【発明が解決しようとする課題】
【００２０】
本発明の目的は、フォークリフトの荷役操作において車体が不安定な姿勢になり、荷こぼれや車体の転倒が生じるのを事前に防止するための操作制御を行うフォークリフトの荷役制御システムおよびフォークリフトの荷役制御方法を提供することである。
【課題を解決するための手段】
【００２１】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００２２】
本発明のフォークリフトの荷役制御システムは、積荷（２）を積載する積載部（１，３）を駆動するための駆動部（６，１１）と、駆動部の動きを制御するための制御部（２３Ａ１、２３Ａ２、２３Ａ３、２３Ａ４、２３Ａ５）と、積荷の積載位置を測定する位置測定部（９，１８）と、積荷の積載部に対する荷重を測定する荷重測定部（１６）とを備えるフォークリフトの荷役制御システム（４０、４５）であって、制御部は、位置測定部および荷重測定部によって測定される積荷の位置情報および荷重情報に基づいて、規定位置に対する積荷の慣性モーメントをリアルタイムで計算し、慣性モーメントに基づく転倒モーメントが規定値を超えないように駆動部を制御する。
【００２３】
また、本発明のフォークリフトの荷役制御システム（４０）において、駆動部は、積載部（１，３）を特定の軸の周方向に動作させるためのチルトシリンダ（１１）と、積載部を特定の軸の半径方向に移動させるためのリフトシリンダ（６）とを備え、位置測定部は、リフトシリンダの変位を測定するためのリフトシリンダ変位計（９）と、チルトシリンダの変位を測定するためのチルトシリンダ変位計（１８）とを備え、荷重測定部は、積荷がリフトシリンダに負荷する圧力を測定するためのリフトシリンダ圧力計（１６）を備え、制御装置（２３Ａ１、２３Ａ３、２３Ａ５）は、リフトシリンダ変位計と、リフトシリンダ圧力計と、チルトシリンダ変位計との測定値に基づいて、フォークリフトの前輪（１２）直下の地表位置を軸とする積荷（２）の慣性モーメントをリアルタイムで計算し、慣性モーメントに基づく転倒モーメントが規定値を超えた時に、チルトシリンダおよびリフトシリンダの動作を停止させる。
【００２４】
また、本発明のフォークリフトの荷役制御システム（４５）における駆動部（６，１１）は、積載部（１，３）を特定の軸の周方向に動作させるためのチルトシリンダ（１１）と、積載部を特定の軸の半径方向に移動させるためのリフトシリンダ（６）とを備え、位置測定部は、リフトシリンダの変位を測定するためのリフトシリンダ変位計（９）と、リフトシリンダの垂線方向からの傾き角を測定するための傾斜センサ（１７）とを備え、荷重測定部は、積荷がリフトシリンダに負荷する圧力を測定するためのリフトシリンダ圧力計（１６）を備え、制御装置（２３Ａ２、２３Ａ４）は、リフトシリンダ変位計と、リフトシリンダ圧力計と、傾斜センサとの測定値に基づいて、フォークリフトの前輪（１２）直下の地表位置を軸とする積荷の慣性モーメントをリアルタイムで計算し、慣性モーメントに基づく転倒モーメントが規定値を超えた時に、チルトシリンダおよびリフトシリンダの動作を停止させる。
【００２５】
また、本発明のフォークリフトの荷役制御システム（４０）において、リフトリンダ（６）が、垂線方向よりも後ろに傾いた位置から後ろ向きに傾倒するようにチルトシリンダ（１１）を起動するとき、制御装置（２３Ａ３）は、さらにリフトシリンダ変位計（９）と、リフトシリンダ圧力計（１６）と、チルトシリンダ変位計（１８）との測定値に基づいて、チルトシリンダの許容加速度をリアルタイムで計算し、チルトシリンダの加速度が許容加速度以内になるように制御する。
【００２６】
また、本発明のフォークリフトの荷役制御システム（４０）において、リフトリンダ（６）が、垂線方向よりも前に傾いた位置から前向きに動作している状態でチルトシリンダ（１１）を停止するとき、制御装置（２３Ａ３）は、さらにリフトシリンダ変位計（９）と、リフトシリンダ圧力計（１６）と、チルトシリンダ変位計（１８）との測定値に基づいて、チルトシリンダの許容減速度をリアルタイムで計算し、チルトシリンダの減速度が許容減速度以内になるように制御する。
【００２７】
また、本発明のフォークリフトの荷役制御システムにおける制御装置（４０）は、さらにリフトシリンダ変位計（９）と、リフトシリンダ圧力計（１６）と、チルトシリンダ変位計（１８）との測定値に基づいて、リフトシリンダ（６）の許容減速度をリアルタイムで計算し、リフトシリンダの減速度が許容減速度以内になるように制御する。
【００２８】
また、本発明のフォークリフトの荷役制御システム（４５）におけるリフトリンダ（６）が、垂線方向よりも後ろに傾いた位置から後ろ向きに傾倒するようにチルトシリンダ（１１）を起動するとき、制御装置（２３Ａ４）は、さらにリフトシリンダ変位計（９）と、リフトシリンダ圧力計（１６）と、傾斜センサ（１７）との測定値に基づいて、チルトシリンダの許容加速度をリアルタイムで計算し、チルトシリンダの加速度が許容加速度以内になるように制御する。
【００２９】
また、本発明のフォークリフトの荷役制御システム（４５）において、リフトリンダ（６）が、垂線方向よりも前に傾いた位置から前向きに動作している状態でチルトシリンダ（１１）を停止するとき、制御装置（２３Ａ４）は、さらにリフトシリンダ変位計（９）と、リフトシリンダ圧力計（１６）と、傾斜センサ（１７）との測定値に基づいて、チルトシリンダの許容減速度をリアルタイムで計算し、チルトシリンダの減速度が許容減速度以内になるように制御する。
【００３０】
また、本発明のフォークリフトの荷役制御システム（４５）において、リフトリンダ（６）が下降停止するとき、制御装置（２３Ａ４）は、さらにリフトシリンダ変位計（９）と、リフトシリンダ圧力計（１６）と、傾斜センサ（１７）との測定値に基づいて、リフトシリンダの許容減速度をリアルタイムで計算し、リフトシリンダの減速度が許容減速度以内になるように制御する。
【００３１】
また、本発明のフォークリフトの荷役制御システム（４０）において、制御装置（２３Ａ５）は、さらに、リフトシリンダ変位計（９）およびチルトシリンダ変位計（１８）の測定値に基づいて、リフトシリンダの位置、または、チルトシリンダの位置がストロークエンドから規定距離以内に到達すると、規定の減速度でリフトシリンダ（６）、または、チルトシリンダ（１１）をストロークエンドにまで到達させる。
【００３２】
また、本発明のフォークリフトの荷役制御システム（４５）において、制御装置（２３Ａ５）は、さらに、リフトシリンダ変位計（９）の測定値に基づいて、リフトシリンダ（６）の位置がストロークエンドから規定距離以内に到達すると、規定の減速度でリフトシリンダをストロークエンドにまで到達させる。
【００３３】
また、本発明のフォークリフトは、請求項１から１１までのいづれか一項に記載のフォークリフトの荷役制御システム（４０，４５）を備える。
【００３４】
また、本発明のフォークリフトの荷役制御方法は、積荷（２）を積載する積載部（１，３）を駆動するための駆動部（６，１１）と、駆動部の動きを制御するための制御部（２３Ａ１、２３Ａ２、２３Ａ３、２３Ａ４、２３Ａ５）と、積荷の積載位置を測定する位置測定部（９，１８）と、積荷の積載部に対する荷重を測定する荷重測定部（１６）とを備えるフォークリフトの荷役制御システム（４０、４５）によるフォークリフトの荷役制御方法であって、位置測定部および荷重測定部によって測定される積荷の位置情報および荷重情報に基づいて、規定位置に対する積荷の慣性モーメントをリアルタイムで計算する計算ステップと、慣性モーメントに基づく転倒モーメントが規定値を超えないように駆動部を制御する制御ステップとを備える。
【００３５】
また、本発明のフォークリフトの荷役制御方法における駆動部は、積載部（１，３）を特定の軸の周方向に動作させるためのチルトシリンダ（１１）と、積載部を特定の軸の半径方向に移動させるためのリフトシリンダ（６）とを備え、位置測定部は、リフトシリンダの変位を測定するためのリフトシリンダ変位計（９）と、チルトシリンダの変位を測定するためのチルトシリンダ変位計（１８）とを備え、荷重測定部は、積荷がリフトシリンダに負荷する圧力を測定するためのリフトシリンダ圧力計（１６）を備え、リフトシリンダ変位計と、リフトシリンダ圧力計と、チルトシリンダ変位計との測定値に基づいて、フォークリフトの前輪直下の地表位置を軸とする積荷（２）の慣性モーメントをリアルタイムで計算する慣性モーメント計算ステップと、慣性モーメントに基づく転倒モーメントが規定値を超えた時に、チルトシリンダおよびリフトシリンダの動作を停止させる停止ステップとを備える。
【００３６】
また、本発明のフォークリフトの荷役制御方法における駆動部（６，１１）は、積載部（１，３）を特定の軸の周方向に動作させるためのチルトシリンダ（１１）と、積載部を特定の軸の半径方向に移動させるためのリフトシリンダ（６）とを備え、位置測定部は、リフトシリンダの変位を測定するためのリフトシリンダ変位計（９）と、リフトシリンダの垂線方向からの傾き角を測定するための傾斜センサ（１７）とを備え、荷重測定部は、積荷がリフトシリンダに負荷する圧力を測定するためのリフトシリンダ圧力計（１６）を備え、リフトシリンダ変位計と、リフトシリンダ圧力計と、傾斜センサとの測定値に基づいて、フォークリフトの前輪（１２）直下の地表位置を軸とする積荷の慣性モーメントをリアルタイムで計算する慣性モーメント計算ステップと、慣性モーメントに基づく転倒モーメントが規定値を超えた時に、チルトシリンダおよびリフトシリンダの動作を停止させる停止ステップとを備える。
【発明の効果】
【００３７】
本発明により、フォークリフトの荷役操作において車体が不安定な姿勢になり、荷こぼれや車体の転倒が生じるのを事前に防止するための操作制御を行うフォークリフトの荷役制御システムおよびフォークリフトの荷役制御方法を提供することができる。
【発明を実施するための最良の形態】
【００３８】
添付図面を参照して、本発明によるフォークリフトの荷役制御システムおよびフォークリフトの荷役制御方法を実施するための最良の形態を以下に説明する。
【００３９】
本発明の実施の形態に係わるフォークリフトの荷役制御システムおよびフォークリフトの荷役制御方法においては、リフトシリンダに変位センサおよび圧力センサが配設される。また、チルトシリンダに変位センサが配設されるか、あるいは、フォークリフトの車体本体かマスト部に傾斜センサが配設される。そして、リフトシリンダ、およびチルトシリンダの動作を制御するためのコントローラに、上記センサからそれぞれの変位量を示す信号が送信される。コントローラでは、受信したそれぞれのセンサからの信号に基づいて、フォークリフトの姿勢が安定であるかをリアルタイムで判断する。そして、フォークリフトの現状の姿勢が安定な状態から外れたと判断された場合には、リフトシリンダ、およびチルトシリンダの動作を制御して、フォークリフトが不安定な状態になるのを回避する。リアルタイムに行われるフォークリフトの姿勢状況判断、および回避制御により、本願のフォークリフトの荷役制御システムを搭載したフォークリフトにおいては、確実に荷こぼれ防止や車体の転倒防止を実現することができ、安全性および信頼性の高いフォークリフトを提供することができる。
【００４０】
（実施の形態１）
図３に、本願の実施の形態１に係わるフォークリフトの荷役制御システムを搭載したフォークリフトの概略構造を示す。フォークリフトは、前輪１２と後輪１３とを備えた車体１０と、荷物を積載するためのフォーク３とを備える。フォーク３は、車体１０前方に配設されているマスト部に、リフトブラケット１を介して設置される。マスト部は、本体１０前方に取り付けられて、フォーク３を前倒、あるいは後倒して荷物の姿勢を前後に制御することの出来るアウターマスト５と、アウターマスト５の上方に固定されて、リフトブラケット１とレールを介して接続され、荷物を積載しているフォーク３およびリフトブラケット１をレールに沿って上下にスライドさせるインナーマスト４とを備えている。アウターマスト５は、チルトシリンダ１１により、アウターマスト５の支持軸の周りに前倒及び後倒の角度を制御される。また、リフトブラケット１は、インナーマスト４のレール上を、インナーマスト４に沿って上下に可動なリフトシリンダ６の動力により、チェーンホイル７およびチェーン８を介して上下方向に位置制御される。このように、リフトブラケット１の先端に接続された荷物積載用のフォーク３は、前後および上下方向に位置制御される。
【００４１】
本実施の形態においては、さらに、チルトシリンダ１１に、チルトシリンダ１１の変位を測定するためのチルト変位センサ１８が配設されている。また、リフトシリンダ６には、リフトシリンダ６の上下方向の変位を測定するためのワイヤ式変位センサ９が配設されている。また、リフトシリンダ６を加圧するための油１４が充填されている油パイプ１５には、リフトシリンダ６に負荷される油圧を計測するための油圧センサ１６が配設されている。本実施の形態においては、図３中に示されている傾斜センサ１７は備えていない。
【００４２】
図４Ａに、フォークリフトに備わる本願の実施の形態に係わるフォークリフトの荷役制御システムの概略構成を示す。本実施の形態に係わるフォークリフトの制御システム４０は、リフトシリンダ６とチルトシリンダ１１との移動量を制御するための油圧回路５０を備えている。運転者により、リフト操作レバー２１およびチルト操作レバー２２が操作されると、それぞれの操作レバーによる制御量に応じた制御信号がコントローラ２３Ａ１に送られる。コントローラ２３Ａ１では、入力されたそれぞれのレバーからの制御信号に基づいて、油圧回路５０に向けて動作信号を送信する。また、電動モータ２５に向けてトルク指令２４を送信する。電動モータ２５は、受信したトルク指令２４に基づいて、油圧回路５０の油圧ポンプ５０ｃの油圧を規定トルク値になるように回転数を制御する。また、油圧回路５０に送られた動作信号は、油圧回路５０のリフト流量制御弁５０ａとチルト流量制御弁５０ｂにそれぞれ入力される。各々の制御弁は、入力されたそれぞれの動作信号に基づいて、リフトシリンダ６およびチルトシリンダ１１を規定量移動させるように、それぞれのシリンダの規定移動量に対応する油量を流すように制御弁の開口量を制御する。
【００４３】
図１０に、本実施の形態における検出信号および制御信号の流れを示す。図１０に示すように、本実施の形態においては、チルトシリンダ１１に備わるチルト変位センサ１８により、現状のチルトシリンダ１１の位置が測定される。そして、測定されるチルトシリンダ１１の測定位置は、リアルタイムでチルトシリンダ変位２７ａを示す信号としてコントローラ２３Ａ１に送られる。リフトシリンダ６についても同様に、ワイヤ式変位センサ９と油圧センサ１６とで測定されたリフトシリンダ位置およびリフトシリンダ６に負荷されている圧力値は、リフトシリンダ変位２６ａ、およびリフトシリンダ圧力２６ｂを示す信号としてそれぞれコントローラ２３Ａ１に送られる。本実施の形態に係わる油圧回路５０においては、コントローラ２３Ａ１と、リフト流量制御弁５０ａおよびチルト流量制御弁５０ｂとの間にアンロード弁５０ｄが配置される。コントローラ２３Ａ１からの指令により、アンロード弁５０ｄが開かれると、リフト流量制御弁５０ａおよびチルト流量制御弁５０ｂが遮断され、当該制御弁にそれぞれ接続されているリフトシリンダ６およびチルトシリンダ１１の動作が停止する。
【００４４】
図１４に、本実施の形態に係わる動作フローを示す。図１４の動作フローに基づいて、図５に示される平坦路面３０におけるフォークリフトの静的安定条件を満たすように制御される本実施の形態に係わる動作フローについて説明する。
【００４５】
平坦路面３０において、積荷２をフォーク３に積載したフォークリフトが動作を開始すると、チルト変位センサ１８からは、チルトシリンダ変位（ｘｔ）２７ａを示す信号が、油圧センサ１６からはリフトシリンダ圧力（ｐ）２６ｂを示す信号が、そしてワイヤ式変位センサ９からは、リフトシリンダ変位（ｘｌ）２６ａを示す信号が、それぞれ本実施の形態に係わるフォークリフトの荷役制御システム４０のコントローラ２３Ａ１へ、リアルタイムで送られる。コントローラ２３Ａ１では、チルトシリンダ変位（ｘｔ）２７ａを示す信号を受信すると、受信したチルトシリンダ変位（ｘｔ）２７ａの値に基づいてマスト傾斜角θを演算する（ステップＳ１３）。また、受信したリフトシリンダ変位（ｘｌ）２６ａを示す信号のリフトシリンダ変位（ｘｌ）２６ａの値から、積荷２の負荷重心の高さ（Ｈ）が求められる（ステップＳ１２）。次に、ステップＳ１３において演算されたマスト傾斜角θの値と、受信したリフトシリンダ圧力（ｐ）２６ｂを示す信号のリフトシリンダ圧力（ｐ）２６ｂの値とから積荷２による負荷Ｗ２の大きさが、Ｗ２＝ｐ×Ａ／ｃｏｓθ（Ａ；安定係数）として算出される（ステップＳ１０）。また、ステップＳ１３において演算されたマスト傾斜角θの値と、ステップＳ１２において求められた積荷２の負荷重心の高さ（Ｈ）の値とからモーメントアームＬ２の値が、Ｌ２＝Ｈ×ｓｉｎθとして算出される（ステップＳ１１）。また、ステップＳ１０，ステップＳ１１，ステップＳ１２それぞれで求められたＷ２，Ｌ２およびＨとから、ｒ＝（Ｗ２×Ｌ２）／（Ｗ１×Ｌ１）、（Ｌ１；車両の前輪に対する車体重心１０ａのモーメントアーム、Ｗ１；車体負荷）としてモーメント比（ｒ）が求められる（ステップＳ１４）。そして、ステップＳ１４で求められたモーメント比（ｒ）の値に基づいて、アンロード弁指令ｅ（６０）の設定が行われる（ステップＳ１５）。このアンロード弁指令ｅ（６０）に基づいて、油圧回路５０に備わるアンロード弁５０ｄの開閉が実施される。アンロード弁５０ｄが完全に開かれると、油圧回路５０に備わるリフト流量制御弁５０ａとチルト流量制御弁５０ｂとが固定されて、それぞれに接続されて動作しているリフトシリンダ６およびチルトシリンダ１１の動作が停止される。
【００４６】
本実施の形態においては、コントローラ２３Ａ１により、リアルタイムで上記動作フローに基づいて安定性を示すモーメント比（ｒ）が求められる。このモーメント比（ｒ）は、図５に示されるように、Ｗ１×Ｌ１＞Ｗ２×Ｌ２の時に、フォークリフトが安定な姿勢であることを示している。本実施の形態においては、リアルタイムでこのモーメント比の値を求め、このモーメント比の値が規定の許容値を超えた時に、アンロード弁指令ｅ（６０）に基づいてアンロード弁５０ｄの開閉制御がなされる。そして、モーメント比の値が当該許容値を超えると、直ちにアンロード弁５０ｄが開かれてリフトシリンダ６およびチルトシリンダ１１の動作が停止する。当該規定の許容値は一定のマージンを含んでいる。このために、フォークリフトが不安定な姿勢になる前に、リフトシリンダ６およびチルトシリンダ１１の動作が停止されてフォークリフトの安定姿勢が維持される。また、本実施の形態においては、モーメント比の値が当該許容値を超えることにより、リフトシリンダ６およびチルトシリンダ１１が停止した後でも、コントローラ２３Ａ１からのアンロード弁指示により、アンロード弁５０ｄを閉じて、リフトシリンダ６およびチルトシリンダ１１を再起動することができる。
【００４７】
本実施の形態により、リアルタイムでフォークリフトの姿勢安定性を示すモーメント比を演算する。そして、フォークリフトの姿勢が不安定な状態になる前に、リフトシリンダ６およびチルトシリンダ１１の動作を停止するように制御する。これにより、フォークリフトの動作時においては、常にフォークリフトの姿勢が不安定になることが回避され、積載積荷２の荷こぼれおよび車体１０の転倒が防止される。このように、本実施の形態により、安全性および信頼性の高いフォークリフトの荷役制御システム、および当該荷役制御システムを搭載したフォークリフトを実現することができる。
【００４８】
（実施の形態２）
図４Ｂに、本実施の形態に係わるフォークリフトの荷役制御システムの概略構成を示す。本実施の形態に係わるフォークリフトの荷役制御システム４５の構成および動作原理は、実施の形態１に示されるそれと基本的には同じである。但し、本実施の形態においては、図３に示されるチルト変位センサ１８は備えず、換わりにアウターマストに配置される傾斜センサ１７を備えている。また、本実施の形態においては、油圧回路５０はコントローラ２３Ａ１に換わってコントローラ２３Ａ２を備えている。後述するように、本実施の形態においては、アウターマスト５に配置される傾斜センサ１７により、アウターマスト５の垂線方向からの傾斜角が測定される。そして、アウターマスト５の垂線方向からの傾斜角を示す信号２７ｂが、コントローラ２３Ａ２に送られることにより、実施の形態１で示したフォークリフトの基本的な制御動作を、平坦路面３０上のみでなく、図６に示される傾斜路面３１上においても同様に実施することが可能となる。
【００４９】
図１１に、本実施の形態における検出信号および制御信号の流れを示す。図１１に示すように、本実施の形態においては、アウターマスト５に備わる傾斜センサ１７により、現状のアウターマスト５の垂線方向からの傾斜角θ’が測定される。そして、測定されたアウターマスト５の傾斜角θ’の値は、リアルタイムでアウターマスト５の傾斜角θ’を示す信号２７ｂとしてコントローラ２３Ａ２に送られる。リフトシリンダ６についても同様に、ワイヤ式変位センサ９と油圧センサ１６とで測定されたリフトシリンダ位置およびリフトシリンダ圧力値は、リフトシリンダ変位２６ａ、およびリフトシリンダ圧力２６ｂを示す信号として、それぞれリアルタイムでコントローラ２３Ａ２に送られる。また、本実施の形態に係わる油圧回路５０には、コントローラ２３Ａ２と、リフト流量制御弁５０ａおよびチルト流量制御弁５０ｂとの間にアンロード弁５０ｄが配置されている。コントローラ２３Ａ２からのアンロード弁指令６０ｅにより、アンロード弁５０ｄが開かれると、リフト流量制御弁５０ａおよびチルト流量制御弁５０ｂが遮断され、当該制御弁にそれぞれ接続されているリフトシリンダ６およびチルトシリンダ１１の動作が停止する。
【００５０】
本実施の形態に係わる動作フローは、実施の形態１のそれと基本的に同じであるので、ここでは詳細な説明を省略する。但し、本実施の形態に係わる動作フローにおいては、実施の形態１の動作フローにおけるステップＳ１３で演算された、平坦路面３０に対するマスト傾斜角θの値が、アウターマスト５に備わる傾斜センサ１７から送られて来る傾斜角度θ’を示す信号２７ｂとして直接に求まる。本実施の形態における傾斜角度θ’を示す信号２７ｂは、フォークリフトが平坦路面３０に載置されている場合に限定されずに、図６に示される傾斜路面３１（傾き角β）上に載置されている場合においても、当該マストの平坦路面３０に対する傾斜角θ’（＝θ＋β）を直接得ることが可能となる。
【００５１】
本実施の形態により、リアルタイムでフォークリフトの姿勢安定性を示すモーメント比を演算する。そして、フォークリフトの姿勢が不安定な状態になる前に、リフトシリンダ６およびチルトシリンダ１１の動作を停止するように制御される。これにより、フォークリフトの動作中には常にフォークリフトの姿勢が不安定になることが回避され、積載積荷２の荷こぼれおよび車体１０の転倒が防止される。このように、本実施の形態により、安全性および信頼性の高いフォークリフトの荷役制御システム、および当該荷役制御システムを搭載したフォークリフトを実現することができる。
【００５２】
（実施の形態３）
図４Ａに、本実施の形態に係わるフォークリフトの荷役制御システムの概略構成を示す。本実施の形態に係わるフォークリフトの荷役制御システムの基本的な構成要件、および動作原理は実施の形態１のそれと同じである。但し、本実施の形態においては、油圧回路５０はコントローラ２３Ａ１に換わってコントローラ２３Ａ３を備えている。後述するように、本実施の形態においては、平坦路面３０上に載置されるフォークリフトに配置された各センサにより、リアルタイムで求められた測定値に基づいて、チルトシリンダ１１後傾起動時の許容加速度、チルトシリンダ１１前傾起動時の許容加速度、リフトシリンダ６下降停止時の許容減速度がそれぞれ求められる。そして、求められた許容加速度または許容減速度を超えないように、各シリンダに接続されている流量制御弁の開閉速度を制御する。さらに、積荷の慣性力（Ｆ）を考慮した動的安定性に基づいて、モーメント比（ｒ）を求める。そして、このモーメント比の値に基づいて、各シリンダの動作を制御する。これにより、運転者が急操作および急停止を行っても、各シリンダが滑らかに起動および停止されると共に、フォークリフトからの荷こぼれや車体の転倒防止が実現される。
【００５３】
図１２に、本実施の形態における検出信号および制御信号の流れを示す。図１２に示すように、本実施の形態においては、チルトシリンダ１１に備わるチルト変位センサ１８により、現状のチルトシリンダ１１の位置が測定される。そして、測定されるチルトシリンダ１１の測定位置は、リアルタイムでチルトシリンダ変位２７ａを示す信号としてコントローラ２３Ａ３に送られる。リフトシリンダ６についても同様に、ワイヤ式変位センサ９と油圧センサ１６とで測定されたリフトシリンダ位置およびリフトシリンダ圧力値は、リフトシリンダ変位２６ａ、およびリフトシリンダ圧力２６ｂを示す信号としてそれぞれコントローラ２３Ａ３に送られる。コントローラ２３Ａ３では、受信したそれぞれの測定値に基づいて、その時のフォークリフトの動作姿勢が、制御しなくてはならない状態であるかどうか判断する。そして、制御する姿勢にある場合、チルトシリンダ後傾起動時の許容加速度、チルトシリンダ前傾起動時の許容加速度、リフトシリンダ下降停止時の許容減速度のうち、対応する値を求める。そして、リフトシリンダ６およびチルトシリンダ１１が、求められた許容加速度または許容減速度を超えないように、各シリンダに接続されているリフト流量制御弁５０ａおよびチルト流量制御弁５０ｂに対して制御信号を送り、それぞれの流量制御弁の開閉速度を制御する。また、本実施の形態に係わる油圧回路５０には、コントローラ２３Ａ３と、リフト流量制御弁５０ａおよびチルト流量制御弁５０ｂとの間にアンロード弁５０ｄが配置されている。コントローラ２３Ａ３からのアンロード弁指令ｅ（６０）により、アンロード弁５０ｄが開かれると、リフト流量制御弁５０ａおよびチルト流量制御弁５０ｂが遮断され、当該制御弁にそれぞれ接続されているリフトシリンダ６およびチルトシリンダ１１の動作が停止する。
【００５４】
図１５に、本実施の形態に係わる動作フローを示す。図１５の動作フローに基づいて、図７，図８および図９に示される平坦路面３０におけるフォークリフトの動的安定条件を満たすように制御される本実施の形態に係わる動作フローについて説明する。
【００５５】
平坦路面３０において、積荷２をフォーク３に積載したフォークリフトが動作を開始すると、チルト変位センサ１８からは、チルトシリンダ変位（ｘｔ）２７ａを示す信号が、油圧センサ１６からはリフトシリンダ圧力（ｐ）２６ｂを示す信号が、そしてワイヤ式変位センサ９からは、リフトシリンダ変位（ｘｌ）２６ａを示す信号が、それぞれ図４Ａに示される本実施の形態に係わるフォークリフトの荷役制御システム４０のコントローラ２３Ａ３へ、リアルタイムで送られる。
【００５６】
コントローラ２３Ａ３では、チルトシリンダ変位（ｘｔ）２７ａを示す信号を受信すると、受信したチルトシリンダ変位（ｘｔ）２７ａの値に基づいてマスト傾斜角θを演算する（ステップＳ２３）。また、受信したリフトシリンダ変位（ｘｌ）２６ａを示す信号のリフトシリンダ変位（ｘｌ）２６ａの値から、積荷２の負荷重心の高さ（Ｈ）が求められる（ステップＳ２２）。次に、ステップＳ１３において演算されたマスト傾斜角θの値と、受信したリフトシリンダ圧力（ｐ）２６ｂを示す信号のリフトシリンダ圧力（ｐ）２６ｂの値とから積荷２による負荷Ｗ２の大きさが、Ｗ２＝ｐ×Ａ／ｃｏｓθ（Ａ；安定係数）として算出される（ステップＳ２０）。また、ステップＳ２３において演算されたマスト傾斜角θの値と、ステップＳ２２において求められた積荷２の負荷重心の高さ（Ｈ）の値とからモーメントアームＬ２の値が、Ｌ２＝Ｈ×ｓｉｎθとして算出される（ステップＳ２１）。ステップＳ２０，ステップＳ２１，ステップＳ２２により、Ｗ２，Ｌ２およびＨが求められると、求められたそれぞれの値を用いて、ａ＝（（Ｗ１×Ｌ１−Ｗ２×Ｌ２）／（Ｗ２×Ｈ））×ｇ、としてそれぞれのフォークリフトの動作形態時における当該シリンダの許容加速度（ａ）が求められる（ステップＳ２５）。例えば、フォークリフトが、図７に示されるような動作形態時においては、チルト後傾起動時の許容加速度が求められる。また、フォークリフトが、図８に示されるような動作形態時においては、チルト前傾停止時の許容減速度が求められる。また、フォークリフトが、図９に示されるような動作形態時においては、リフト下降停止時の許容減速度が求められる。ステップＳ２５により、それぞれの動作形態時における許容加速、または減速度が求められると、この値に基づいて、流量制御弁指令の勾配が、α１＝ａ×Ｋ１（Ｋ１は安全係数）として求められる（ステップＳ２７）。そして、コントローラ２３Ａ３は、ステップＳ２７で求められた流量制御弁指令の勾配（α１）に基づいて、油圧回路５０に向けて、リフト流量制御弁５０ａ、あるいはチルト流量制御弁５０ｂの開閉速度を制御するための図示せぬ流量制御弁指令８０を送る。
【００５７】
図１６（ａ）には、本実施の形態で制御される、時間の関数としての流量制御弁指令開度の制御例を示す。本実施の形態の加速度制御により、流量制御弁指令開度は、特定のマージン（安全係数Ｋ１で決まる）に基づいて緩和された傾斜角α１で時間変動していることが判る。また、図１６（ｂ）に、本実施の形態の制御を行った場合と、従来の場合のチルトシリンダの動作の応答波形を示す。図１６（ｂ）に見られるように、本実施の形態の加速度制御が実施されることにより、チルトシリンダの動作化速度は、許容加速度と許容減速度との間に制限される。これにより、フォークリフトの荷こぼれや転倒防止が実現する。
【００５８】
本実施の形態においては、さらに、ステップＳ２０，ステップＳ２１，ステップＳ２２それぞれで求められたＷ２，Ｌ２およびＨとの値から、チルト後傾起動時、またはチルトシリンダ前傾起動時には、ｒ＝（Ｗ２×Ｌ２）＋（Ｆ×Ｈ）／（Ｗ１×Ｌ１）として、リフトシリンダ下降停止時には、Ｗ１×Ｌ１＞（Ｗ２＋Ｆ）×Ｌ２（Ｌ１；車両の前輪に対する車体重心１０ａのモーメントアーム、Ｗ１；車体負荷、Ｆ；フォークリフトの各動作形態時における積荷の慣性力）として、モーメント比（ｒ）が求められる（ステップＳ２４；但し図１５には、ｒ＝（Ｗ２×Ｌ２）＋（Ｆ×Ｈ）／（Ｗ１×Ｌ１）の場合を表記）。そして、ステップＳ２４で求められたモーメント比（ｒ）の値に基づいて、アンロード弁指令ｅ（６０）の設定が行われる（ステップＳ２６）。このアンロード弁指令ｅ（６０）に基づいて、油圧回路５０に備わるアンロード弁５０ｄの開閉が実施される。アンロード弁５０ｄが完全に開かれると、油圧回路５０に備わるリフト流量制御弁５０ａとチルト流量制御弁５０ｂとが閉じられて、それぞれに接続されて動作しているリフトシリンダ６とチルトシリンダ１１との動作が停止する。
【００５９】
本実施の形態においては、コントローラ２３Ａ３により、リアルタイムで上記動作フローに基づいて安定性を示すモーメント比（ｒ）が求められる。このモーメント比（ｒ）は、図７，図８，および図９に示されるように、Ｗ１×Ｌ１＞（Ｗ２×Ｌ２）＋（Ｆ×Ｈ）、または、Ｗ１×Ｌ１＞（Ｗ２＋Ｆ）×Ｌ２の時に、フォークリフトが安定な姿勢であることを示している。本実施の形態においては、リアルタイムでこのモーメント比の値を求め、このモーメント比の値が規定の許容値を超えた時に、アンロード弁指令６０に基づいてアンロード弁５０ｄの開閉制御がなされる。そして、モーメント比の値が当該許容値を超えると、直ちにアンロード弁５０ｄが開かれてリフトシリンダ６およびチルトシリンダ１１の動作が停止する。当該規定の許容値は一定のマージンを含んでいる。このために、フォークリフトが不安定な姿勢になる前に、リフトシリンダ６およびチルトシリンダ１１の動作が停止されてフォークリフトの安定姿勢が維持される。また、本実施の形態においては、モーメント比の値が当該許容値を超えることにより、リフトシリンダ６およびチルトシリンダ１１が停止した後でも、コントローラ２３Ａ３からのアンロード弁指示６０により、アンロード弁５０ｄを閉じて、リフトシリンダ６およびチルトシリンダ１１を再起動することができる。このように、本実施の形態により、安全性および信頼性の高いフォークリフトの荷役制御システム、および当該荷役制御システムを搭載したフォークリフトを実現することができる。
【００６０】
（実施の形態４）
図４Ｂに、本実施の形態に係わるフォークリフトの荷役制御システムの概略構成を示す。本実施の形態に係わるフォークリフトの荷役制御システム４５の構成は、実施の形態２に示されるそれと基本的には同じである。また、本実施の形態の動作原理は、実施の形態３に示されるそれと基本的には同じである。但し、本実施の形態においては、油圧回路５０はコントローラ２３Ａ２、またはコントローラ２３Ａ３に換わってコントローラ２３Ａ４を備えている。後述するように、本実施の形態においては、平坦路面３０上のみならず、傾斜路面３１上において、フォークリフトに配置される上記各センサによってリアルタイムで測定される測定値に基づいて、チルトシリンダ後傾起動時の許容加速度、チルトシリンダ前傾起動時の許容加速度、リフトシリンダ下降停止時の許容減速度がそれぞれ求められる。そして、求められた許容加速度または許容減速度を超えないように、各シリンダに接続されている流量制御弁の開閉速度を制御する。さらに、積荷の慣性力（Ｆ）を考慮した動的安定条件に基づいて、モーメント比（ｒ）を求める。そして、このモーメント比の値に基づいて、各シリンダの動作を制御する。これにより、運転者が急操作および急停止を行っても、各シリンダが滑らかに起動および停止されると共に、フォークリフトからの荷こぼれや車体の転倒防止が実現する。
【００６１】
図１３に、本実施の形態における検出信号および制御信号の流れを示す。図１３に示すように、本実施の形態においては、アウターマスト５に備わる傾斜センサ１７により、現状のアウターマスト５の垂線方向からの傾斜角θ’が測定される。そして、測定されたアウターマスト５の傾斜角θ’の値は、リアルタイムでアウターマスト５の傾斜角θ’を示す信号２７ｂとしてコントローラ２３Ａ４に送られる。リフトシリンダ６についても同様に、ワイヤ式変位センサ９と油圧センサ１６とで測定されたリフトシリンダ位置およびリフトシリンダ圧力値は、リフトシリンダ変位２６ａ、およびリフトシリンダ圧力２６ｂを示す信号として、それぞれリアルタイムでコントローラ２３Ａ４に送られる。コントローラ２３Ａ４では、受信したそれぞれの測定値に基づいて、チルトシリンダ後傾起動時の許容加速度、チルトシリンダ前傾起動時の許容加速度、リフトシリンダ下降停止時の許容減速度を求める。そして、リフトシリンダ６およびチルトシリンダ１１が、求められた許容加速度または許容減速度を超えないように、各シリンダに接続されているリフト流量制御弁５０ａおよびチルト流量制御弁５０ｂに対して制御信号を送り、それぞれの流量制御弁の開閉速度を制御する。また、本実施の形態に係わる油圧回路５０には、コントローラ２３Ａ４と、リフト流量制御弁５０ａおよびチルト流量制御弁５０ｂとの間にアンロード弁５０ｄが配置されている。コントローラ２３Ａ４からの指令により、アンロード弁５０ｄが開かれると、リフト流量制御弁５０ａおよびチルト流量制御弁５０ｂが遮断され、当該制御弁にそれぞれ接続されているリフトシリンダ６およびチルトシリンダ１１の動作が停止する。
【００６２】
本実施の形態に係わる動作フローは、実施の形態３のそれと基本的に同じであるので、ここでは詳細な説明を省略する。但し、本実施の形態に係わる動作フローにおいては、実施の形態３の動作フローにおけるステップＳ２３で演算された、平坦路面３０に対するマスト傾斜角θの値が、アウターマスト５に備わる傾斜センサ１７から送られて来る傾斜角度θ’を示す信号２７ｂとして直接に求まる。本実施の形態における傾斜角度θ’を示す信号２７ｂは、フォークリフトが平坦路面３０に載置されている場合に限定されずに、図６に示される傾斜路面３１（傾き角β）上に載置されている場合においても、当該マストの平坦路面３０に対する傾斜角θ’（＝θ＋β）を直接得ることが可能となる。
【００６３】
本実施の形態においては、平坦路面３０上に限定されず、傾斜路面３１上に載置されるフォークリフトに配置された上記各センサにより、リアルタイムで求められた測定値に基づいて、各シリンダの許容加速度または許容減速度がそれぞれ求められる。そして、求められた許容加速度または許容減速度を超えないように、各シリンダに接続されている流量制御弁の開閉速度を制御する。さらに、積荷の慣性力（Ｆ）を考慮した動的安定性に基づいて、モーメント比（ｒ）を求められ、このモーメント比の値に基づいて、各シリンダの動作が制御される。これにより、本実施の形態においては、安全性および信頼性の高いフォークリフトの荷役制御システム、および当該荷役制御システムを搭載したフォークリフトを実現することができる。
【００６４】
（実施の形態５）
本発明の実施の形態５に係わる荷役制御システムにおいては、実施の形態１または３の動作フローにおいて、さらに、各シリンダ変位がストロークエンドに到達する直前に、アンロード弁を緩やかに開放することにより、当該シリンダのストロークエンド到達時におけるショックを低減して、荷こぼれの防止や車体の転倒防止を実現するものである。
【００６５】
本実施の形態を、実施の形態１に備えた場合の構成および動作原理について、以下に説明する。本実施の形態に係わる荷役制御システムの概略構成は、図４Ａに示すものである。但し、本実施の形態においては、コントローラは、実施の形態１におけるコントローラ２３Ａ１に換わって、コントローラ２３Ａ５を備えている。
【００６６】
図１８に、本実施の形態に係わる動作フローを示す。図１８に示される基本的な動作フローは、図１４に示される実施の形態１の動作フローと同様なので、ここでは本実施の形態のみで実施される動作のみを説明する。本実施の形態においては、チルトシリンダ１１に配置されているチルト変位センサ１８によりリアルタイムで測定されたチルトシリンダ変位（Ｘｔ）を示す信号２７ａが、コントローラ２３Ａ５に送られる。同様に、リフトリンダ６に配置されているワイヤ式変位センサ９によりリアルタイムで測定されたリフトシリンダ変位（Ｘｌ）を示す信号２６ａが、コントローラ２３Ａ５に送られる。コントローラ２３Ａ５では、受信したチルトシリンダ変位（Ｘｔ）を示す信号２７ａ、およびリフトシリンダ変位（Ｘｌ）を示す信号２６ａに基づいて、それぞれ規定された当該シリンダのストロークエンド到達前の距離から、規定の安全係数の傾きをもったアンロード弁指令ｆ（６５）、またはアンロード弁指令ｇ（７０）をそれぞれアンロード弁５０ｄ送ることにより（ステップＳ５０、ステップＳ５５）、当該シリンダが端部に到達するまでに、緩やかにアンロード弁を開放して、それぞれのシリンダのストロークエンド到達時のショックを低減させる。
【００６７】
本実施の形態においては、実施の形態１の作用効果に加えて、さらに、ストロークエンド到達時のショックを低減して、荷こぼれ防止や車体の転倒防止を実現することができる。
【００６８】
本実施の形態においては、チルト変位センサ１８およびワイヤ式変位センサ９の両者を備えている実施の形態１および３に即して説明を行った。しかし、本実施の形態をリフトシリンダ６の変位を測定しているワイヤ式変位センサ９部分のみに適用することにより、実施の形態２および４に適用することができる。また、実施の形態２および４に、さらに、チルト変位センサ１８を具備することにより、本実施の形態を適用することができる。
【図面の簡単な説明】
【００６９】
【図１】従来のフォークリフトの概略構成を示す図である。
【図２】従来のフォークリフトの制御システムを示す図である。
【図３】本願のフォークリフトの概略構成を示す図である。
【図４Ａ】本願のフォークリフトの制御システムを示す図である。
【図４Ｂ】本願のフォークリフトの制御システムを示す図である。
【図５】平坦路面におけるフォークリフトの静的安定条件を示す図である。
【図６】傾斜路面におけるフォークリフトの静的安定条件を示す図である。
【図７】チルト後倒起動時におけるフォークリフトの動的安定条件を示す図である。
【図８】チルト前倒起動時におけるフォークリフトの動的安定条件を示す図である。
【図９】リフト下降停止時におけるフォークリフトの動的安定条件を示す図である。
【図１０】実施の形態１における制御システムの構成を示す図である。
【図１１】実施の形態２における制御システムの構成を示す図である。
【図１２】実施の形態３における制御システムの構成を示す図である。
【図１３】実施の形態４における制御システムの構成を示す図である。
【図１４】実施の形態１における動作フローを示す図である。
【図１５】実施の形態３における動作フローを示す図である。
【図１６】本願におけるチルト動作による応答例を示す図である。
【図１７】シリンダストロークエンドショック低減のための、シリンダ変位とアンドーロ弁指令開度との応答関係を示す図である。
【図１８】実施の形態５における動作フローを示す図である。
【符号の説明】
【００７０】
１…リフトブラケット
２…積荷
２ａ…積荷重心
３…フォーク
４…インナーマスト
５…アウターマスト
６…リフトシリンダ
７…チェーンホイール
８…チェーン
９…ワイヤ式変位センサ
１０…車体
１０ａ…車体重心
１１…チルトシリンダ
１２…前輪
１３…後輪
１４…油
１５…油パイプ
１６…油圧センサ
１７…傾斜センサ
１８…チルト変位センサ
２０…従来の制御システム
２１…リフト操作レバー
２２…チルト操作レバー
２３、２３Ａ１、２３Ａ２、２３Ａ３、２３Ａ４、２３Ａ５…コントローラ
２４…トルク指令
２５…電動モータ
２６…リフトシリンダ
２６ａ…リフトシリンダ変位
２６ｂ…リフトシリンダ圧力
２７…チルトシリンダ
２７ａ…チルトシリンダ変位
２８、５０…油圧回路
２８ａ、５０ａ…リフト流量制御弁
２８ｂ、５０ｂ…チルト流量制御弁
２８ｃ、５０ｃ…油圧ポンプ
３０…平坦路面
３１…傾斜路面
４０、４５…フォークリフトの荷役制御システム
５０…油圧回路
５０ｄ…アンロード弁
６０…アンロード弁指令ｅ
６５…アンロード弁指令ｆ
７０…アンロード弁指令ｇ
８０…流量制御弁指令
【図１】
2006298519.tif 000003
【図２】
2006298519.tif 000004
【図３】
2006298519.tif 000005
【図４Ａ】
2006298519.tif 000006
【図４Ｂ】
2006298519.tif 000007
【図５】
2006298519.tif 000008
【図６】
2006298519.tif 000009
【図７】
2006298519.tif 000010
【図８】
2006298519.tif 000011
【図９】
2006298519.tif 000012
【図１０】
2006298519.tif 000013
【図１１】
2006298519.tif 000014
【図１２】
2006298519.tif 000015
【図１３】
2006298519.tif 000016
【図１４】
2006298519.tif 000017
【図１５】
2006298519.tif 000018
【図１６】
2006298519.tif 000019
【図１７】
2006298519.tif 000020
【図１８】
2006298519.tif 000021